(57)【要約】      （修正有）【課題】ペットボトルと弁当を別の空間に上下に配置することができ、持ち運び時のバランスを保つことができるハンモックバッグを提供する。【解決手段】上方が開口となったバッグ本体２と、バッグ本体２内にハンモック状に取り付けられた袋状のペットボトル収納部３と、バッグ本体２に設けられた２つの持ち手４とを備えるハンモックバッグ１であって、バッグ本体２は、対向する正面２１及び背面２２、対向する左側面２３及び右側面２４、及び、底面２５を有し、持ち手４は、正面２１及び背面２２の上端に両端がそれぞれ固定され、ペットボトル収納部３は、２つの面３０で形成され、上方が開口となった袋状であり、両端の上部が、バッグ本体２の左側面２３及び右側面２４の上端の中央付近に固定されていることで、ペットボトル収納部３はハンモック状にバッグ本体２内に固定されている。【選択図】図１
0003231965.tif 000002
【実用新案登録請求の範囲】
【請求項１】
上方が開口となったバッグ本体と、
前記バッグ本体内に、ハンモック状に取り付けられた、袋状のペットボトル収納部と、及び、
前記バッグ本体に設けられた２つの持ち手とを備え、
前記バッグ本体は、対向する正面及び背面、対向する左側面及び右側面、及び、底面を有し、
前記持ち手は、前記正面及び前記背面の上端に両端がそれぞれ固定され、
前記ペットボトル収納部は、２つの面で形成され、上方が開口となった袋状であり、両端の上部が、前記バッグ本体の前記左側面及び前記右側面の上端の中央付近に固定されていることで、前記ペットボトル収納部はハンモック状に前記バッグ本体内に固定されていることを特徴とする、ハンモックバッグ。
【請求項２】
前記ペットボトル収納部の１つの前記面の上端の中央付近が前記バッグ本体の前記正面又は前記背面に固定されていることを特徴とする、請求項１に記載のハンモックバッグ。
【請求項３】
前記ペットボトル収納部の２つの前記面は、前記開口を開閉するために、対向する位置に着脱可能な係合部が設けられていることを特徴とする、請求項１又は２に記載のハンモックバッグ。
【請求項４】
前記ハンモックバッグは、折り畳み可能な材質で形成されていることを特徴とする、請求項１〜３のいずれか１項に記載のハンモックバッグ。
【考案の詳細な説明】
【技術分野】
【０００１】
本考案は、買い物等に使用するハンモックバッグに関する。
【背景技術】
【０００２】
近年、レジ袋の有料化に伴い、買い物の際にバッグを持参する人が増えており、様々なバッグが用いられている。一般的なバッグは、バッグ本体に商品を積み重ねて収容することから、例えば、弁当等と飲み物のペットボトルとを購入した場合、弁当の上にペットボトルを載せることになるが、この場合、弁当等が潰れる可能性があり、また、ペットボトルが動くのでバッグを持った時にバランスが崩れて持ち難いという問題があった。
【０００３】
買い物等に使用するトートバッグ等には、ペットボトル等を収容する収納部を設けたバッグが存在しており、例えば、特許文献１には、トートバッグの襠部分に収納部を設け、中身を整理しやすくし、かつ様々な使用状態にあっても使い勝手のよい襠部分開閉式収納部のあるトートバッグが開示されている。また、特許文献２には、ペットボトルや水筒等を収納することができる小型収納が形成されたバッグが開示されている。
【０００４】
これらの従来技術では、ペットボトルや水筒等を収納する収納部があるものの、収納部が１辺に固定されているため、持ち運び時にバッグの片方に力が掛かりバランスが悪くなるという問題があった。また、これらのバッグは、小さく折り畳んで携帯することができないという問題がある。
【先行技術文献】
【特許文献】
【０００５】
【特許文献１】実用新案登録第３１３４８８４号公報
【特許文献２】実用新案登録第３２１５９６２号公報
【考案の概要】
【考案が解決しようとする課題】
【０００６】
本考案は、ペットボトルの収納部をバッグ本体内にハンモック状に取り付けることで、ペットボトルと弁当を別の空間に上下に配置することができ、持ち運び時のバランスを保つことができるハンモックバッグを提供することを目的とする。
【課題を解決するための手段】
【０００７】
本考案のハンモックバッグは、上方が開口となったバッグ本体と、前記バッグ本体内に、ハンモック状に取り付けられた、袋状のペットボトル収納部と、及び、前記バッグ本体に設けられた２つの持ち手とを備え、前記バッグ本体は、対向する正面及び背面、対向する左側面及び右側面、及び、底面を有し、前記持ち手は、前記正面及び前記背面の上端に両端がそれぞれ固定され、前記ペットボトル収納部は、２つの面で形成され、上方が開口となった袋状であり、両端の上部が、前記バッグ本体の左側面及び右側面の上端の中央付近に固定されていることで、前記ペットボトル収納部はハンモック状に前記バッグ本体内に固定されていることを特徴とする。
【０００８】
前記ペットボトル収納部の１つの前記面の上端の中央付近が前記バッグ本体の正面又は背面に固定されている。
【０００９】
前記ペットボトル収納部の２つの面は、開口を開閉するために、対向する位置に着脱可能な係合部が設けられている。
【００１０】
前記ハンモックバッグは、折り畳み可能な材質で形成されている。
【考案の効果】
【００１１】
本考案のハンモックバッグは、上方が開口となったバッグ本体と、前記バッグ本体内に、ハンモック状に取り付けられた、袋状のペットボトル収納部と、及び、前記バッグ本体に設けられた２つの持ち手とを備え、前記バッグ本体は、対向する正面及び背面、対向する左側面及び右側面、及び、底面を有し、前記持ち手は、前記正面及び前記背面の上端に両端がそれぞれ固定され、前記ペットボトル収納部は、２つの面で形成され、上方が開口となった袋状であり、両端の上部が、前記バッグ本体の左側面及び右側面の上端の中央付近に固定されていることで、前記ペットボトル収納部はハンモック状に前記バッグ本体内に固定されていることにより、ペットボトルと弁当等とを上下に別の空間に収容することができ、かつ、ペットボトル収納部がハンモック状に取り付けられていることにより、持ち運び時にペットボトルの重量によってバランスが崩れて弁当等の中身が崩れるのを防ぐことができる。
【００１２】
前記ペットボトル収納部の１つの前記面の上端の中央付近が前記バッグ本体の正面又は背面に固定されていることにより、ペットボトル収納部をバッグ本体内で片側に寄せることができるので、弁当等を出し入れし易くすることができる。
【００１３】
前記ペットボトル収納部の２つの面は、開口を開閉するために、対向する位置に着脱可能な係合部が設けられていることにより、ペットボトルを前記ペットボトル収納部に収容した際に固定することができるようになる。
【００１４】
前記ハンモックバッグは、折り畳み可能な材質で形成されていることにより、不使用時はコンパクトに収容することができるので、携帯が容易である。
【図面の簡単な説明】
【００１５】
【図１】本考案のハンモックバッグの斜視図であり、ペットボトル収納部を開いた状態を表す。
【図２】本考案のハンモックバッグの斜視図であり、ペットボトル収納部を閉じた状態を表す。
【図３】ハンモックバッグの概略断面図である。
【図４】本考案のハンモックバッグの別の形態の斜視図であり、ペットボトル収納部を開いた状態を表す。
【考案を実施するための形態】
【００１６】
本考案のハンモックバッグ１について、図１〜３を用いて以下に詳細に説明する。本考案のハンモックバッグ１は、図１，２に示すように、上方が開口となったバッグ本体２と、前記バッグ本体２内に、ハンモック状に取り付けられた、袋状のペットボトル収納部３と、及び、前記バッグ本体２に設けられた２つの持ち手４とを備え、図３に示すように、弁当等を収容する空間Ａ及びペットボトル等を収容する空間Ｂの２つの空間を有する。
【００１７】
前記バッグ本体２は、対向する正面２１及び背面２２、対向する左側面２３及び右側面２４、及び、底面２５を有しており、前記正面２１及び前記背面２２が前記左側面２３及び前記右側面２４よりも大きく形成されており、上方が開口となっている。そして、前記バッグ本体２の大きさとしては、コンビニ、スーパー等の弁当等を収容することを想定して設定しているが、特に限定するものではなく変更が可能である。２つの前記持ち手４は、前記バッグ本体２の対向する正面２１及び背面２２の上端に両端がそれぞれ固定されており、図１，２に示すように、前記ペットボトル収納部３の上を横断するように配置されている。前記持ち手４の幅及び長さ等は適宜変更することができる。
【００１８】
前記ペットボトル収納部３は、２つの面３０で形成され、上方が開口となった袋状であり、ペットボトルを収容できる大きさを有しており、横長の形状を有している。図１，２に示すように、前記ペットボトル収納部３の両端の上部が、前記バッグ本体２の対向する左側面２３及び右側面２４の上端の中央付近に固定されている。前記ペットボトル収納部３の両端は、上部だけが前記バッグ本体２内に固定されており、下部は前記バッグ本体２とは分離されていることから、前記ペットボトル収納部３は、前記バッグ本体２内にハンモック状に固定された状態となる。また、前記ペットボトル収納部３は、前記バッグ本体２内において中央に配置された状態となる。
【００１９】
前記ペットボトル収納部３の１つの面３０は、上端の中央付近が前記バッグ本体２の正面２１又は背面２２に固定されている。図１，２に示すように、前記ペットボトル収納部３の１つの面３０が、上端の中央付近が前記バッグ本体２の背面２２に固定されているが、正面２１に固定されてもよく、固定方法は、特に限定するものではなく、縫製、接着等によって、前記ペットボトル収納部３の一部を前記バッグ本体２の正面２１又は背面２２に固定できればよい。これにより、前記ハンモックバッグ１の空間Ａ内に弁当等をスムーズに出し入れすることができる。そして、前記ペットボトル収納部３の２つの面３０には、開口を開閉するために、対向する位置に着脱可能な係合部３１，３２が設けられている。前記係合部３１，３２としては、フック、面ファスナー、ボタン等を用いることができるが、着脱可能であればよくこれらに限定されない。前記係合部３１は、前記ペットボトル収納部３が前記バッグ本体２に固定されている箇所に設けている。前記係合部３１，３２を設けることにより、図３（ｃ）に示すように、前記ペットボトル収納部３内にペットボトル１２を収容した後、前記係合部３１，３２を互いに係合させることで、ペットボトル１２が動くのを防止することで、前記ハンモックバッグ１を持ち運びする際に前記ペットボトル１２が動いてバランスが悪くなり、空間Ａ内に収容した弁当１１等の中身が崩れるのを防止することができる。
【００２０】
前記ハンモックバッグ１は、材質としてはポリエステル等を用いて、前記バッグ本体２、前記ペットボトル収納部３及び前記持ち手４を形成することが可能である。これにより、前記ハンモックバッグ１はコンパクトに折り畳み可能であり、不使用時には携帯することができる。前記ハンモックバッグ１の材質については特に限定するものではなく、軽量、丈夫で折り畳み可能な材質を用いることが好ましい。
【００２１】
次に、本考案のハンモックバッグ１の使用方法について説明する。本考案のハンモックバッグ１は、図３（ｃ）に示すように、前記バッグ本体２内に、ペットボトル１２等を収容する空間Ｂ及び弁当１１等を収容する空間Ａを上下に有している。買い物が終わって、例えば、弁当１１とペットボトル１２をハンモックバッグ１に入れる場合、まず初めに、折り畳んであったハンモックバッグ１を広げて、図１又は図２の状態とする。次に、ハンモックバッグ１のバッグ本体２の空間Ａに弁当１１を入れる。この時、前記バッグ本体２の開口は、図３（ａ）における前記ペットボトル収納部３の左側が開いていることから、ここから図３（ｂ）に示すように、前記バッグ本体２内の空間Ａに弁当１１を入れる。
【００２２】
次に、図２に示すように、前記係合部３１と前記係合部３２が係合されて、前記ペットボトル収納部３の開口が閉じられている場合は、前記係合部３１と前記係合部３２との係合を解除して、図１のように前記ペットボトル収納部３の開口を開いた状態とする。図３（ｂ）に示すように、前記ペットボトル収納部３内の空間Ｂにペットボトル１２を入れ、その後、前記係合部３１と前記係合部３２とを係合させて、図３（ｃ）の状態とする。このように、本考案のハンモックバッグ１は、図３（ｃ）に示すように、弁当１１等とペットボトル１２とを別々に２つの空間Ａ，Ｂに収容することができるので、ペットボトル１２の重さによって弁当１１等が潰れることを防止することができる。
【００２３】
また、前記ペットボトル収納部３内に収容されたペットボトル１２は、図３（ｃ）に示すように、前記バッグ本体２の中央付近に位置し、前記バッグ本体２内においてハンモック状に保持されていることから、前記ハンモックバッグ１を持ち運びした際に、ハンモックバッグ１の中央付近に重心が位置した状態が保たれるので、ハンモックバッグ１内に収容した弁当１１等の中身が揺れて崩れるのを防止することができる。
【００２４】
前記ハンモックバッグ１内には、図３（ｃ）に示すように、１つの弁当１１を収容するだけでなく、複数の弁当１１を重ねることができるスペースを設けることが好ましい。また、本考案のハンモックバッグ１は弁当１１とペットボトル１２だけでなく、２つの空間Ａ，Ｂを利用して様々な物品を２つに分けて、バランスよく収容することができるので、様々な用途で使用することができる。
【００２５】
次に、別の形態のハンモックバッグ１’について、図４を用いて説明する。図４に示すハンモックバッグ１’は、上方が開口となったバッグ本体２と、前記バッグ本体２内に、ハンモック状に取り付けられた袋状のペットボトル収納部３’と、及び、前記バッグ本体２に設けられた２つの持ち手４とを備えている。前記バッグ本体２及び前記持ち手４については、上述のハンモックバッグ１と同じ構成を用いることから同じ符号を用いており、詳細な説明は省略する。ここでは、前記ペットボトル収納部３’について説明する。
【００２６】
前記ペットボトル収納部３’は、２つの面３０’で形成され、上方が開口となった袋状であり、ペットボトル１２等を収容できる大きさを有しており、横長の形状を有している。図４に示すように、前記ペットボトル収納部３’の両端の上部が、前記バッグ本体２の対向する左側面２３及び右側面２４の上端の中央付近に固定されている。前記ペットボトル収納部３’の両端は、上部だけが前記バッグ本体２内に固定されており、下部は前記バッグ本体２とは分離されていることから、これにより、前記ペットボトル収納部３’は、前記バッグ本体２内にハンモック状に固定された状態となる。
【００２７】
前記ペットボトル収納部３’は、前記ペットボトル収納部３とは異なり、２つの面３０’はいずれも前記バッグ本体２には固定されていない。これにより、前記ペットボトル収納部３’は、前記バッグ本体２内においてハンモックのように自由に動くことができる状態となっており、前記バッグ本体２の開口において前記ペットボトル収納部３’の両側から、前記バッグ本体２内へと弁当等を出し入れすることができ、弁当等を出し入れする際に、前記ペットボトル収納部３’を両側に動かすことができるので、スムーズに出し入れすることができる。
【００２８】
本考案のハンモックバッグ１は、ペットボトル収納部３，３’をバッグ本体２内にハンモック状に取り付けることで、ペットボトルと弁当等のように２種類の物品を別の空間に上下に配置することができ、持ち運び時のバランスを保つことができるという従来にはない優れた効果を奏する。
【符号の説明】
【００２９】
１，１’      ハンモックバッグ
２            バッグ本体
２１          正面
２２          背面
２３          左側面
２４          右側面
２５          底面
３，３’      ペットボトル収納部
３０，３０’  面
３１，３１’  係合部
３２，３２’  係合部
４            持ち手
１１          弁当
１２          ペットボトル
【図１】
0003231965.tif 000003
【図２】
0003231965.tif 000004
【図３】
0003231965.tif 000005
【図４】
0003231965.tif 000006